(57)【要約】少なくとも１つの加入者口座を含むホストネットワークを備える、取引を促進するためのシステム又は方法であって、少なくとも１つの加入者口座は、選択される機関との特定の取引を実施するための第１の電子ウォレットと、他のタイプの取引を実施するための第２の電子ウォレットと、ホストネットワークは、取引を実施するためにホストネットワークに結合されている精算設備をさらに備え、精算設備は、取引を精算及び仲裁するように動作可能であり、精算設備は、取引を求める要求が受信されると取引のタイプを判定し第１の電子ウォレット又は第２の電子ウォレットから引き落とす少なくとも１つのプロセッサをさらに備える、精算設備とを有する、取引を促進するためのシステム又は方法。【選択図】図１１
2016524236.tif 000002
【特許請求の範囲】
【請求項１】
取引を促進するためのシステムであって、
少なくとも１つの加入者口座を含むホストネットワークであって、前記少なくとも１つの加入者口座が、
選択される機関との特定の取引を実施するための第１の電子ウォレットと、
他のタイプの取引を実施するための第２の電子ウォレットと、
を有するホストネットワークと、
前記取引を実施するために前記ホストネットワークに結合されている精算設備であって、前記精算設備が、前記取引を精算及び仲裁するように動作可能であり、前記精算設備が少なくとも１つのプロセッサをさらに備え、該プロセッサは、取引を求める要求が受信されると前記取引のタイプを判定し第１の電子ウォレット又は第２の電子ウォレットから引き落とす、精算設備と、
を備える、取引を促進するためのシステム。
【請求項２】
前記選択される機関が政府機関又は政府関連機関である、請求項１に記載の取引を促進するためのシステム。
【請求項３】
前記特定の取引が、社会保障に対する強制負担金、住宅供給、共済及び健康保険の支払いのうちの１つ又は複数を含む、請求項２に記載の取引を促進するためのシステム。
【請求項４】
前記ホストネットワークが遠隔通信ネットワークである、請求項１〜３のいずれか一項に記載の取引を促進するためのシステム。
【請求項５】
前記少なくとも１つの加入者口座が前払いモバイル加入者口座である、請求項１〜４のいずれか一項に記載の取引を促進するためのシステム。
【請求項６】
前記少なくとも１つの加入者口座が後払いモバイル加入者口座である、請求項１〜４のいずれか一項に記載の取引を促進するためのシステム。
【請求項７】
前記取引を求める要求が、ショートメッセージサービス（ＳＭＳ）テキストメッセージを介して送信される、請求項４又は５に記載の取引を促進するためのシステム。
【請求項８】
前記第１の電子ウォレットに対するクレジットが、前記第２の電子ウォレットに転送可能でない、請求項１に記載の取引を促進するためのシステム。
【請求項９】
前記第２の電子ウォレットと関連付けられるクレジットが期限切れにならない、請求項１に記載の取引を促進するためのシステム。
【請求項１０】
前記第２の電子ウォレットと関連付けられる前記他のタイプの取引が、前払い又は後払い加入者口座と関連付けられる通信時間のリロードを含む、請求項１〜９のいずれか一項に記載の取引を促進するためのシステム。
【請求項１１】
前記第１の電子ウォレットが、別個の独立した登録プロセスを介して、第２の電子ウォレットを有する加入者にとって利用可能である、請求項１〜１０のいずれか一項に記載の取引を促進するためのシステム。
【請求項１２】
取引を促進するための方法であって、
ａ．モバイルコンピューティングデバイスのユーザから取引を求める電子的要求を受信するステップと、
ｂ．前記取引を求める電子的要求から、前記取引のタイプを判定するステップであって、前記取引のタイプが、選択される機関と関連付けられている特定の取引である場合、前記ユーザと関連付けられている第１の電子ウォレットが前記取引に利用され、そうでない場合、前記ユーザと関連付けられている第２の電子ウォレットが前記取引に利用される、判定するステップと、
を含む、取引を促進するための方法。
【請求項１３】
前記選択される機関が政府機関である、請求項１２に記載の取引を促進するための方法。
【請求項１４】
前記特定の取引が、社会保障に対する強制負担金、住宅供給、共済及び健康保険の支払いのうちの１つ又は複数を含む、請求項１３に記載の取引を促進するための方法。
【請求項１５】
前記第１の電子ウォレットに対するクレジットが、前記第２の電子ウォレットに転送可能でない、請求項１２〜１４のいずれか一項に記載の取引を促進するための方法。
【発明の詳細な説明】
【関連出願の相互参照】
【０００１】
本出願は、シンガポール特許出願第２０１３０４５９３−５号からの優先権を主張し、当該特許出願の内容全体が、参照により本明細書に組み込まれる。
【発明の分野】
【０００２】
本発明は、取引を促進するためのシステム及び方法に関する。特に、限定はされないが、本発明は、政府関連取引を促進することに関する。
【背景技術の説明】
【０００３】
現在のほとんどの移動体通信システムは、２つの請求パラダイム（ｃｈａｒｇｉｎｇ  ｐａｒａｄｉｇｍ）、すなわち、前払い及び後払いを利用している。ほとんどの後払い携帯電話サービスは、ユーザとサービスプロバイダとの間の契約を介して与えられる。後払いパラダイムの下では、ユーザは、ユーザの使用レベルに基づいて各請求周期の終わりに請求される。
【０００４】
前払いパラダイムの下では、ユーザは一般的に、設定金額のネットワーククレジット（ｎｅｔｗｏｒｋ  ｃｒｅｄｉｔ）とともに、端末機を購入する。その後、ユーザは、クレジットを使い果たすまでネットワークに自由にアクセスすることができる。ユーザは、いつでも前払い口座にさらなるクレジットを追加することができる。この追加方式は、口座の「トップアップ」として知られている。このトップアップには、プロバイダとのクレジット／デビットカード取引、又は、小売店において「トップアップカード」を購入することによって影響を及ぼすことができる。トップアップカードは、電話機上でクレジットに引き換えることができる一意のコード（スクラッチパネルの下にあることが多い）を刻印されている。前払い携帯電話のクレジットは最後にクレジットが追加されてから９０日のような期限がある場合がある。期限がある事例において、期限切れの前にさらにクレジットを追加しない消費者は、自身の残高を失うことになり、サービス（及びそのサービスに関連する電話番号）が打ち切られる場合がある。
【０００５】
前払いサービスを使用することに伴う１つの問題は、ユーザが自身のサービスプロバイダのネットワークの外部にいるとき（たとえば、ユーザが国際的にローミングしているとき）にクレジットの残高を追加（ｒｅｃｈａｒｇｅ；以下、リチャージ）するのが困難であることである。ユーザがプロバイダのネットワークの外部にいるような事例において、ユーザは、自身の特定のサービスプロバイダからリチャージカードを購入することが不可能である。しかしながら、上述したように、ユーザには、クレジットカード又はデビットカードを利用することによってクレジットをリチャージするという選択肢がある。一般的に、そのようなリチャージ設備は、予めプログラムされているサービス番号を介したダイヤルインサービス、又はＳＭＳサービスの形態で提供される。ダイヤルイン及びＳＭＳによるリチャージは、ユーザが、通話を開始するか又はＳＭＳを送信するのに十分なクレジットを有しない場合に特に問題になり得る。同様に、ウェブポータルは、ユーザがインターネットにアクセスすることが可能であることを必要とし、それゆえ、クレジットが足りないことを通知されるのと、リチャージとの間には相当の遅延がある場合があり、その遅延の間ユーザはネットワークにアクセスすることが不可能であり、場合によっては、電話を受けることが不可能である。この遅延は、ユーザのホームネットワークがクレジット値の更新を登録するのにいくらか時間がかかるときにさらに悪化する可能性があり、クレジット値の変化がホストネットワークに伝搬されるのにさらに数日かかる可能性がある。
【０００６】
上述した問題に加えて、送金方法に関してより大きな利便性をもたらすことが一般的に必要とされている。特に、フィリピンのような国々では、家事奉公人の雇用者が、住宅開発互助基金（Ｐａｇ−ＩＢＩＧファンド）への月毎の負担金及びフィリピン健康保険公社（ＰｈｉｌＨｅａｌｔｈ）及び社会保障制度（ＳＳＳ）への支払い保険料を送金する必要がある。
【０００７】
特に、家庭内労働者（Ｋａｓａｍｂａｈａｙとしても知られている）が、外出／移動して銀行又は「Ｂａｙａｄ」センター（支払いセンター）に対する店頭（ＯＴＣ）取引を介して支払うのに時間を費やすことなく、自身の社会保障費を支払うことが必要とされている。家庭内労働者（Ｋａｓａｍｂａｈａｙとしても知られている）は自身の職務を遂行するのに忙しいことが多いため、家庭内労働者は通常、自身の請求を支払うために外出する時間はない。
【０００８】
したがって、政府関連機関、民間請求者に対する支払い、及び、消費者が携帯デバイスを使用して取引を実施することができる他の支払い関連の使用事例を可能にするシステム及び方法が必要とされており、同じ支払いが、貨幣価値と同じ額面の（額面通りの）電子マネーでＢａｙａｄＬｏａｄウォレット（ＢａｙａｄＬｏａｄ  ｗａｌｌｅｔ）の残高を追加し、ＳＭＳ、ＵＳＳＤ又はモバイルアプリケーションのいずれかをベアラチャネルとして使用して、支払い取引が履行されたときに提携銀行と予め資金供給されている口座を通じて精算するために、携帯機器、オンライン又はモバイルアプリケーションを介した既存の通信時間小売業者、加入者の普通口座／当座口座（ＣＡＳＡ）銀行預金からの自動引き落とし、及び／又は、クレジットカードを含む、様々なチャネルを通じて再ロード（ｒｅｌｏａｄ：以下、リロード）可能である。
【発明の概要】
【０００９】
本明細書全体を通じて、別途逆のことが指示されていない限り、「〜を備える（ｃｏｍｐｒｉｓｉｎｇ）」、「〜から構成される（ｃｏｎｓｉｓｔｉｎｇ  ｏｆ）」などの用語は、非排他的であるものとして、言い換えれば、「限定ではないが、〜を含む（ｉｎｃｌｕｄｉｎｇ，  ｂｕｔ  ｎｏｔ  ｌｉｍｉｔｅｄ  ｔｏ）」ことを意味するものとして解釈されるべきである。
【００１０】
したがって、貨幣価値と同じ額面の（額面通りの）電子マネーでＢａｙａｄＬｏａｄウォレットの残高を追加し、ＳＭＳ、ＵＳＳＤ又はモバイルアプリケーションのいずれかをベアラチャネルとして使用して、支払い取引が履行されたときに提携銀行と予め資金供給されている口座を通じて精算するために、限定ではないが、携帯機器、オンライン又はモバイルアプリケーションを介した既存の通信時間小売業者、加入者の普通口座／当座口座（ＣＡＳＡ）銀行預金からの自動引き落とし、及び／又は、クレジットカードを含む様々なチャネルを通じてリロード可能である別個のモバイルウォレットを通じて前払い及び後払いの両方で、政府関連機関、民間請求者に対する支払い、及び、消費者が携帯デバイスを使用して取引を実施することができる他の支払い関連の使用事例のための媒体としての普遍的な装入又は充填（ｌｏａｄ：以下、ロード）のシステム及び方法を提供することが有利である。
【００１１】
より詳細には、本発明は、特に社会保障制度の加入者のための、国庫負担金を支払うためのシステム及び方法に関する。
【００１２】
本発明の第１の態様によれば、少なくとも１つの加入者口座を有するホストネットワークを備える、取引を促進するためのシステムが存在し、少なくとも１つの加入者口座は、選択される機関との特定の取引を実施するための第１の電子ウォレットと、他のタイプの取引を実施するための第２の電子ウォレットとに関連付けられており、ホストネットワークは、取引を実施するためにホストネットワークに結合されている精算設備をさらに備え、精算設備は、取引を精算及び仲裁するように動作可能であり、精算設備は、取引を求める要求が受信されると取引のタイプを判定し第１の電子ウォレット又は第２の電子ウォレットから引き落とす少なくとも１つのプロセッサをさらに備える。
【００１３】
選択される機関は政府機関であることが好ましい。
【００１４】
特定の取引は、社会保障に対する強制負担金、住宅供給、共済及び健康保険の支払いのうちの１つ又は複数を含むことが好ましい。
【００１５】
ホストネットワークは遠隔通信ネットワークであることが好ましい。
【００１６】
少なくとも１つの加入者口座は前払いモバイル加入者口座であることが好ましい。代替的に、少なくとも１つの加入者口座は後払いモバイル加入者口座であることが好ましい。
【００１７】
取引を求める要求は、ショートメッセージサービス（ＳＭＳ）テキストメッセージを介して送信されることが好ましい。
【００１８】
第１の電子ウォレットに対するクレジットは、第２の電子ウォレットに転送可能でないことが好ましい。
【００１９】
第１の電子ウォレットと関連付けられるクレジットは期限切れにならないことが好ましい。
【００２０】
第２の電子ウォレットと関連付けられる他のタイプの取引は、前払い又は後払い加入者口座と関連付けられる通信時間及び通話時間のリロードを含むことが好ましい。
【００２１】
第１の電子ウォレットは、別個の独立した登録プロセスを介して、第２の電子ウォレットを有する加入者にとって利用可能であることが好ましい。
【００２２】
システムは、取引を求める要求又はその一部分の有効性を検証するための取引プロセッサを備えることが好ましい。
【００２３】
本発明の第２の態様によれば、取引を促進するための方法であって、
ａ．モバイルコンピューティングデバイスのユーザから取引を求める電子的要求を受信するステップと、
ｂ．取引を求める電子的要求から、取引のタイプを判定するステップであって、取引のタイプが、選択される機関と関連付けられている特定の取引である場合、ユーザと関連付けられている第１の電子ウォレットが取引に利用され、そうでない場合、ユーザと関連付けられている第２の電子ウォレットが取引に利用される、判定するステップと
を含む、方法が存在する。
【００２４】
選択される機関は政府機関であることが好ましい。
【００２５】
特定の取引は、社会保障に対する強制負担金、住宅供給、共済及び健康保険の支払いのうちの１つ又は複数を含むことが好ましい。
【００２６】
第１の電子ウォレットに対するクレジットは、第２の電子ウォレットに転送可能でないことが好ましい。
【００２７】
本発明がより容易に理解され、より容易に実践され得るように、ここで、本発明の好適な実施形態を示す添付の図面を参照する。
【図面の簡単な説明】
【００２８】
【図１】本発明の一実施形態による、基本加入者情報の登録と関連付けられるプロセスステップを示す概略図である。
【００２９】
【図２】本発明の一実施形態による本発明の一実施形態による、基本加入者情報の登録と関連付けられるプロセスステップを示す概略図である。
【００３０】
【図３】本発明の一実施形態による、小売店を介した金銭のリロードと関連付けられるプロセスステップを示す概略図である。
【００３１】
【図４】本発明の一実施形態による、加入者による残高照会のシステムへの送信と関連付けられるプロセスステップを示す概略図である。
【００３２】
【図５】本発明の一実施形態による、被雇用者としてのＳＳ、Ｐａｇ−ＩＢＩＧ又はＰｈｉｌＨｅａｌｔｈの支払いと関連付けられるプロセスステップを示す概略図である。
【００３３】
【図６】本発明の一実施形態による、被雇用者以外の者によるＳＳ、Ｐａｇ−ＩＢＩＧ又はＰｈｉｌＨｅａｌｔｈの支払いと関連付けられるプロセスステップを示す概略図である。
【００３４】
【図７】本発明の一実施形態による、加入者による口座のロックと関連付けられるプロセスステップを示す概略図である。
【００３５】
【図８】本発明の一実施形態による、加入者による口座のロック解除と関連付けられるプロセスステップを示す概略図である。
【００３６】
【図９】本発明の一実施形態による、加入者によるシステムからの情報の要求と関連付けられるプロセスステップを示す概略図である。
【００３７】
【図１０】本発明の一実施形態による、加入者によるシステムからのヘルプの要求と関連付けられるプロセスステップを示す概略図である。
【００３８】
【図１１】本発明の一実施形態による、システムのシステムブロック図である。
【発明の実施形態の説明】
【００３９】
本発明の他の構成が可能であり、それゆえ、添付の図面は、本発明の記載の一般性に優先するものとして理解されるべきではない。
【００４０】
以下のように記載されているシステム及び方法は、通信ネットワークの前払い及び後払い加入者が、政府関連負担金を支払うことを可能にする。たとえば、フィリピンにおいて、システムは、社会保障制度、フィリピン健康保険公社及び住宅開発互助基金（Ｐａｇ−ＩＢＩＧファンド）の加入者が、自身の負担金／料金を関連政府機関に支払うことを可能にする。本サービスは、トップアップすること若しくは「リチャージすること」又は通話時間クレジット又は他の取引に使用される従来の通信時間ウォレット以外の別個の独立した電子ウォレットを資金源とする加入者によるロードを使用した簡便で、シームレスで、安全で、利用しやすい代替的な支払いチャネルを提供することを目的とする。特に、通信プロバイダは遠隔通信プロバイダであってもよい。遠隔通信プロバイダは、本発明が機能するための、個々の受け取り政府口座に対するクレジットの精算団体又は設備としての、銀行との提携者とすることができる。
【００４１】
これによって、遠隔通信プロバイダが本サービスを提供することを可能にするための、既存の小売業者及び販売店との簡便で、シームレスで、安全で、利用しやすい代替的な支払いチャネルがもたらされる。したがって、この支払い設備を使用する可能性があり得る多くの加入者が、特にさらに登録を必要とされることなく受益することになる。他の遠隔通信プロバイダからの加入者でさえ、この支払いサービスを利用可能にされ得る。
【００４２】
この支払い設備の顧客について、顧客は、自身の口座番号を毎回覚えておく必要はなくなり、必要なことは、遠隔通信プロバイダに対するＳＭＳを介した一度限りの登録だけである。遠隔通信プロバイダはまた、２４時間の残高照会システム、２４時間の支払窓口、及び、受収証を閲覧、ダウンロード又は印刷するための機能を提供することもできる。システムは、加入者が有効な口座を有しているか否かを判定することが可能であり、それに従って応答する。
【００４３】
システムはまた、一致するアドレスを有する単一のユーザが複数の口座、たとえば、フィリピンにおけるＰｈｉｌＨｅａｌｔｈ、ＳＳＳ又はＰａｇ−ＩＢＩＧファンドの３つすべての口座で登録されている場合を認識することもできる。様々なデータベースにわたる移行性を適用することによって、特にアドレス及び携帯電話識別番号（ＭＩＮ）を使用して、加入者は同じ人物として認識され、システムは、３つのすべてのサービス口座の加入者が同じ識別情報を使用してリンクされることを可能にする。そのようなプロセスは、システムによって、加入者がプロセスを意識することなく、バックグラウンドで行うことができ、加入者がそれに応じて行うか又は承認するための行動を引き起こすことがさらに促される。そのようなシステムが適所にあることによって、加入者は公共輸送機関における匿名購入又は店頭購入を行うことができる。バックエンド精算及び／又は調停システムは、様々なデータベースを捜索して、一致しないアドレスが削除された後、完全に一致するレコードが認証された識別情報となり、それらの識別情報がすべてのデータベースの恩恵をより容易に受けることが可能になる。加入者をよりよく知るための基礎としてこの識別情報を使用することによって、この識別情報をデータマイニング、広告マッチング又はさらには監視目的に使用することもできる。
【００４４】
本明細書において、「第１の電子ウォレット」及び「第２の電子ウォレット」という用語は、１つの電子ウォレットの機能を別の電子ウォレットから区別するだけのために例示を目的として使用され、したがって、これらの用語は順序又は優先順位に関する制限として解釈されるべきではない。
【００４５】
本発明の一実施形態によれば、本実施形態は、ホストネットワーク１２を含む取引を促進するためのシステム１０を含む。ホストネットワーク１２は、限定ではないが、遠隔通信プロバイダであってもよい。遠隔通信プロバイダ１２は、少なくとも１つの加入者口座１４を含む。少なくとも１つの加入者口座は、少なくとも１つの機関との少なくとも第１のタイプの取引を実施するための第１の電子ウォレット２０と関連付けられる。加入者口座は、第１のタイプの取引とは相互に排他的である他のタイプの取引を実施するための第２の電子ウォレット２２をさらに含む。
【００４６】
精算設備１６は、一方又は両方のタイプの取引を実施するためにホストネットワーク１２に結合されている。精算設備１６は、取引を精算及び調停するように動作可能である。精算及び調停を達成するために、精算設備１６は、取引を求める要求が受信されると、取引のタイプ、及び、取引を実施するための第１の電子ウォレット又は第２の電子ウォレットからの引き落とし／クレジットを判定する。代替的に、第１の電子ウォレット及び第２の電子ウォレットと関連付けられる様々なタイプの取引の清算のために、複数の精算設備があってもよい。構成にかかわらず、第１のタイプの取引は、他のタイプの取引から分離され、独立したままであるべきであることは諒解されたい。しかしながら、第１の電子ウォレット及び第２の電子ウォレットは、必要な場合に資金を移送するために互いにやりとりすることができる。
【００４７】
一実施形態において、精算設備１６は、遠隔通信プロバイダ１２のための精算設備を提供するように結合及び構成されている銀行である。少なくとも１つの加入者口座１４は後払い又は前払い口座であってもよい。各加入者と関連付けられている電子ウォレット２０、２２は、遠隔通信プロバイダ内に保持されており、第１の電子ウォレットは、第２の電子ウォレットとは異なる特定の規則セットによって統制される。特に、第１の電子ウォレットは、政府関連機関に対する強制的な月毎の負担金のために、代替的な支払いチャネルを介して、セキュアな支払いのために利用される。第１の電子ウォレットを統制する条件の１つは、第１の電子ウォレット２０内に配置されるクレジット又は金銭が期限切れにならず、現金化することができないことであるということに留意しなければならない。
【００４８】
例示を目的として、加入者は、通話時間若しくは通信時間クレジットのトップアップ、又は、送金、請求の支払い、前払い口座のリロード、口座への資金預け入れ、ＡＴＭ引き出し、若しくはオンラインショッピングを含み得る他の取引に加入者が利用する第２の電子ウォレット２２をすでに有している場合がある。
【００４９】
そのような第２の電子ウォレット２２の一例は、Ｓｍａｒｔ  Ｃｏｍｍｕｎｉｃａｔｉｏｎｓ，  Ｉｎｃの電子ウォレットであるスマートマネー（Ｓｍａｒｔ  Ｍｏｎｅｙ）（商標）である。第２の電子ウォレット又はモバイル電子ウォレットを取り巻く登録及び手順はよく詳述されており、さらに詳細には説明しない。
【００５０】
取引プロセッサ２４は、取引を求める要求又はその一部分の有効性を検証するために使用され得る。そのような取引プロセッサ２４の一例は、ＳＭＳセンターである。
【００５１】
第１の電子ウォレット２０に関して、ユーザは、第１の電子ウォレット２０と関連付けられる特定の取引を実施する前に、ユーザとして登録しなければならない。登録プロセスは図１に示されており、以下の通り詳細に説明する。
登録（ステップ１００）
【００５２】
このプロセスの間、加入者の基本情報及び口座詳細がキャプチャされる。このステップは、ＳＭＳを介して、たとえば、＜Ｋｅｙｗｏｒｄ（キーワード）＞＜Ｆｉｒｓｔ  Ｎａｍｅ（ファーストネーム）＞＜Ｍｉｄｄｌｅ  Ｎａｍｅ（ミドルネーム）＞：＜Ｌａｓｔ  Ｎａｍｅ（ラストネーム）＞＜Ｄａｔｅ  ｏｆ  Ｂｉｒｔｈ（誕生日）ＭＭＤＤＹＹ＞フォーマットで行うことができる。したがって、ユーザは、ＳＭＳを使用して自身の携帯デバイスに「Ｒｅｇ  Ｓｈｅｒｗｉｎ  Ａｎａｎａ  Ｄｉａｍａｎｔｅ  ０８２１８０」と入力し、このテキストをＳＭＳセンターに送ることができる（ステップ１０２）。
【００５３】
ＳＭＳセンター２４は、＜ｋｅｙｗｏｒｄ＞フィールド「ｒｅｇ」が有効であるか否かを検査し（ステップ１０４）、有効である場合、電子ウォレットプロセッサに登録を送信する（ステップ１０６）。電子ウォレットプロセッサは、ＳＭＳの構文の有効性を検証し、精算及び仲裁のためにＢａｙａｄｌｏａｄ基金に対するデータ通信を利用する第１の電子ウォレット２０（以降「Ｂａｙａｄｌｏａｄ」ウォレットと称するの登録及び作成のために口座をロック解除する（ステップ１０８）。Ｂａｙａｄｌｏａｄウォレットが作成されると、加入者に作成の成功を通知するために、ＳＭＳ通知が加入者に送信され得る（ステップ１１０）。通知に成功した場合、システムは加入者に、登録が完了したこと、及び、認可されている遠隔通信プロバイダの多くの小売業者のいずれかにおいてウォレットをロード（又はリロード）することができることを知らせる。たとえば、システムは以下のように応答することができる。
ＭＭＭＤＤ  ＨＨ：ＭＭ
Ｒｅｇｉｓｔｒａｔｉｏｎ  Ｃｏｍｐｌｅｔｅ！（登録が完了しました！）Ｙｏｕ  ｍａｙ  ｎｏｗ  ｌｏａｄ  ｙｏｕｒ  ＢａｙａｄＬｏａｄ  ｗａｌｌｅｔ  ｆｒｏｍ  ａｎｙ  ＳＭＡＲＴ  ｒｅｔａｉｌｅｒ．（これより、任意のＳＭＡＲＴ小売業者からＢａｙａｄｌｏａｄウォレットにロードすることができます。）
Ｔ＆Ｃ（契約条件）  ｂｙ  ｒｅｌｏａｄｉｎｇ  ｙｏｕｒ  ｒｅｌｏａｄ  ｗａｌｌｅｔ  ｙｏｕ  ａｇｒｅｅ  ｔｏ  ｔｈｅ  ｔｅｒｍｓ  ａｎｄ  ｃｏｎｄｉｔｉｏｎ  ｉｎ  ｔｈｉｓ  ｗｅｂｓｉｔｅ：  ｗｗｗ．ｂａｙａｄｌｏａｄ．ｃｏｍ（リロードウォレットにリロードすることによって、ウェブサイト：ｗｗｗ．ｂａｙａｄｌｏａｄ．ｃｏｍにある契約条件に同意したことになります。）
ＲＥＦ＃
ＭＭＭＤＤ  ＨＨ：ＭＭ
ステップ２：Ｐｌｓ  ｒｅｇｉｓｔｅｒ  ｙｏｕｒ  Ｂｉｌｌｉｎｇ  Ａｃｃｏｕｎｔ  Ｎｕｍｂｅｒ  ｂｙ  ｓｅｎｄｉｎｇ（以下を送信することによって、請求口座番号を登録してください）
“Ａｃｃｔ  ＰＩＦ  ＜Ａｃｃｔ＃＞  ＰＨＬ  ＜  Ａｃｃｔ＃＞  ＳＳＳ  ＜  Ａｃｃｔ＃＞”  ｆｏｒ  Ｐａｇｉｂｉｇ，  ＰｈｉｌＨｅａｌｔｈ  ａｎｄ  ＳＳＳ（Ｐａｇｉｂｉｇ、ＰｈｉｌＨｅａｌｔｈ及びＳＳＳに対する）
Ｓａｍｐｌｅ  １：（サンプル１：）Ａｃｃｔ  ＰＩＦ  １２３４５６７８９０１  ＰＨＬ  ＰＩＦ  １２３４５６７８９０１  ＳＳＳ  ＰＩＦ  １２３４５６７８９０１  ｏｒ（又は）
Ｙｏｕ  ｃａｎ  ａｌｓｏ  ｒｅｇｉｓｔｅｒ  １  ａｃｃｏｕｎｔ  ｏｎｌｙ  ｂｙ  ｓｅｎｄｉｎｇ  “Ａｃｃｔ  ＰＩＦ  ＜  Ａｃｃｔ＃＞”（「Ａｃｃｔ  ＰＩＦ  ＜  Ａｃｃｔ＃＞」のみを送信することによって、１つの口座を登録することもできます）
Ｓａｍｐｌｅ  ２：（サンプル２：）Ａｃｃｔ  ＰＩＦ  １２３４５６７８９０１
ＲＥＦ＃
【００５４】
通知が拒絶された場合、システムはユーザに、ＳＭＳ内のエラー、たとえば、無効な構文に基づいて再試行するように促し、システムは以下のように応答することができる。
例示的な構文：
ＭＭＭＤＤ  ＨＨ：ＭＭ
Ｐｌｓ  ｒｅｔｒｙ．（再試行してください。）Ｓｅｎｄ  ｍｓｇ  ｂｅｌｏｗ  ｔｏ  ８８８８（下記のメッセージを８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞．
Ｓａｍｐｌｅ：（サンプル）Ｒｅｇ  Ｓｈｅｒｗｉｎ  Ａｎａｎａ  Ｄｉａｍａｎｔｅ  ０８２１８０
ＲＥＦ＃１２３４５６７８
【００５５】
キーワードが無効である場合、システムは以下のように応答することができる。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
【００５６】
口座が何らかの理由で利用可能でない場合、システムは以下のように応答することができる。
ＢａｙａｄＬｏａｄ  ａｃｃｏｕｎｔ  ｃａｎｎｏｔ  ｂｅ  ｅｄｉｔｅｄ：（ＢａｙａｄＬｏａｄ口座を編集することができません）
ＭＭＭＤＤ  ＨＨ：ＭＭ
ＢａｙａｄＬｏａｄ  ａｃｃｏｕｎｔ  ｃａｎｎｏｔ  ｂｅ  ｅｄｉｔｅｄ．（ＢａｙａｄＬｏａｄ口座を編集することができません）
ＲＥＦ＃＜１２３４５６７８９０１＞
３１３１  ａｃｃｅｓｓ  ｃｏｄｅ（アクセスコード）
【００５７】
ユーザは、登録されると、この時点でＢａｙａｄｌｏａｄ口座の所有者として、図２に示すように請求口座情報（２００）を登録するように促され得る。ユーザは、ＳＭＳセンターに対して以下の構文を使用してこの登録を行うことができる（ステップ２０２）。
【００５８】
加入者はシステムに、構文＜Ｋｅｙｗｏｒｄ＞  ＜Ｂｉｌｌｅｒ  Ｃｏｄｅ（請求者コード）＞  ＜Ａｃｃｏｕｎｔ  Ｎｕｍｂｅｒ（口座番号）＞を使用することによって請求情報を登録するよう命令することができる。したがって、ユーザは、ＳＭＳを介して以下「Ａｃｃｔ  ＰＨＬ  ２３９４８２３４９８」を送信することができる。ＳＭＳを受信すると、ＳＭＳＣは、キーワードが有効であるか否かを確かめるために検査を実施し（ステップ２０４）、有効である場合、ＳＭＳはさらなる検証のために電子ウォレットプロセッサに送られる（ステップ２０６）。さらなる検証は、構文が有効であるか否か、携帯電話識別番号が登録されているか否か、任意の検査数字、及び／又は、Ｂａｙａｄｌｏａｄウォレットがロック解除されているか否かを検査することを含んでもよい。判定されると、加入者の既存の請求者レコードによって冗長であると考えられない場合には新たな請求口座登録レコードが作成され、又は、既存の請求者レコードがある場合には、既存のレコードが更新される（ステップ２０８）。
【００５９】
請求者レコードが作成又は更新されると、ＳＭＳセンターを介してＳＭＳ通知が加入者に送信される（ステップ２１０）。
【００６０】
システムはその後、加入者に、以下のＳＭＳを送信することによって、通知の成功を知らせることができる。
例示的な構文：
ＭＭＭＤＤ  ＨＨ：ＭＭ
Ｒｅｇｉｓｔｒａｔｉｏｎ  Ｃｏｍｐｌｅｔｅ！（登録が完了しました！）Ｙｏｕ  ｍａｙ  ｎｏｗ  ｌｏａｄ  ｙｏｕｒ  ＢａｙａｄＬｏａｄ  ｗａｌｌｅｔ  ｆｒｏｍ  ａｎｙ  ＳＭＡＲＴ  ｒｅｔａｉｌｅｒ．（これより、任意のＳＭＡＲＴ小売業者からＢａｙａｄｌｏａｄウォレットにロードすることができます。）
Ｙｏｕ  ｈａｖｅ  ｔｈｅ  ｏｐｔｉｏｎ  ｔｏ  ｌｏｃｋ  ｔｈｉｓ  ａｃｃｏｕｎｔ  ｂｙ  ｓｅｎｄｉｎｇ  “Ｌｏｃｋ  ＜４  Ｄｉｇｉｔ  ＰＩＮ＞”  ｔｏ  ８８８８．（お望みであれば「Ｌｏｃｋ  ＜４  Ｄｉｇｉｔ  （４桁）ＰＩＮ＞」を８８８８に送信することによって、この口座をロックすることができます。）Ａｆｔｅｒ  ａ  ｓｕｃｃｅｓｓｆｕｌ  ｌｏｃｋ，  ｙｏｕ  ｃａｎ  ｕｎｌｏｃｋ  ｔｈｉｓ  ａｃｃｏｕｎｔ  ａｎｙｔｉｍｅ  ｂｙ  ｓｅｎｄｉｎｇ  “Ｕｎｌｏｃｋ  ＜４  Ｄｉｇｉｔ  ＰＩＮ＞  ｔｏ  ８８８８（ロックに成功した後、「Ｕｎｌｏｃｋ  ＜４  Ｄｉｇｉｔ  （４桁）ＰＩＮ＞」を８８８８に送信することによって、この口座をロック解除することができます）
ＲＥＦ＃＜１２３４５６７８９０１＞
【００６１】
代替的に、システムは、構文が不正確である場合に通知を拒絶することができる。
ＭＭＭＤＤ  ＨＨ：ＭＭ
Ｐｌｅａｓｅ  ｓｅｎｄ  “Ａｃｃｔ  ＜Ｂｉｌｌｅｒ  Ｃｏｄｅ＞  ＜Ａｃｃｔ＃＞  ｔｏ  ８８８８．（「Ａｃｃｔ  ＜Ｂｉｌｌｅｒ  Ｃｏｄｅ＞  ＜Ａｃｃｔ＃＞」を８８８８に送信してください。）
Ｖａｌｉｄ  ＢｉｌｌｅｒＣｏｄｅｓ  ａｒｅ  “ＰＨＬ”  ｆｏｒ  ＰｈｉｌＨｅａｌｔｈ，  “ＰＩＦ”  ｆｏｒ  Ｐａｇ−ＩＢＩＧ  ｆｕｎｄ  ａｎｄ  “ＳＳＳ”  ｆｏｒ  ＳＳＳ．（有効な請求者コードはＰｈｉｌＨｅａｌｔｈについては「ＰＨＬ」であり、Ｐａｇ−ＩＢＩＧファンドについては「ＰＩＦ」であり、ＳＳＳについては「ＳＳＳ」です。）ＲＥＦ＃＜１２３４５６７８９０１＞
・又は、口座がロックされている場合、
ＭＭＭＤＤ  ＨＨ：ＭＭ
Ｔｈｉｓ  ａｃｃｏｕｎｔ  ｉｓ  ｃｕｒｒｅｎｔｌｙ  ｌｏｃｋｅｄ．（この口座は現在ロックされています。）Ｐｌｅａｓｅ  Ｕｎｌｏｃｋ  ｆｉｒｓｔ．（まずロック解除してください。）
ＲＥＦ＃１２３４５６７８
・又は、加入者が基本登録を有していない場合、
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
・又は、無効なコマンド若しくはキーワードがある場合、
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
【００６２】
加入者が基本情報又は口座詳細を更新することを望む場合、登録手順を繰り返すことができる。いくつかの事例において、そのような更新は、口座がゼロの残高を有し、以前に取引が実施されていない場合にのみ許可される。残高があるときの更新を処理するプロセスは別個に規定する。代替的に、口座残高検証、すなわち、残高がゼロ又は何らかの他の金額であるかを処理するための業務規則は柔軟であってもよい。
【００６３】
加入者が実施することができる機能の１つは、クレジット又は金銭を自身のＢａｙａｄｌｏａｄ口座又はウォレットにリロードすることである。プロセスフロー３００が図３に示されている。加入者（Ｂａｙａｄｌｏａｄの所有者）は、ホストネットワークによって口座を有する認可された第三者の小売業者を介してロードの購入をトリガすることができる（ステップ３０２）。
【００６４】
加入者は、口座又はＢａｙａｄｌｏａｄウォレットに金銭をリロードしなければならず、その方法の１つが小売業者を経由することである。リロードされることになる金額は小売業者によって決まり、この金額は任意の金額とすることができる。一例として、小売業者は、構文＜Ｋｅｙｗｏｒｄ＞  ＜ｔａｒｇｅｔＭＩＮ（対象ＭＩＮ）＞  ＜ａｍｏｕｎｔ（金額）＞を使用してシステムにＳＭＳを送信する。たとえば、「Ｌｏａｄ  ０９１９２７０００４５  ３００」（ステップ３０４）。
【００６５】
ＳＭＳセンターに転送されると、ＳＭＳセンターは、キーワード「Ｌｏａｄ」が有効なキーワードであるか否かを検査する。有効である場合、ロード要求が電子ウォレットプロセッサに転送される（ステップ３０６）。電子ウォレットは、構文が有効であるか否かをさらに検証し、有効である場合、顧客（加入者）が有効なＢａｙａｄｌｏａｄ口座を有しているか否かを検査する（ステップ３０８）。検査されると、引き落とし要求が、処理のために資金源ＰＰＣ  ＯＭＷに送信される（ステップ３１０）。資金源ＰＰＣ  ＯＭＷは一般的に、加入者の通信時間ロードに使用される。引き落とし要求は、引き落としされるべき小売業者の口座に対応する第１の識別子（Ａ番号）と、信用貸しされるべき加入者口座に対応する第２の識別子（Ｂ番号）と、引き落としされるべき金額とを含む。第１の識別子、第２の識別子及び引き落としされるべき金額が検証されると（ステップ３１２）、ＰＰＣ  ＯＭＷは小売業者の引き落としをする（ステップ３１４）。ＰＰＣ  ＯＭＷからＳＨＩウォレットプロセッサに応答が送信され（ステップ３１６）、ＳＨＩウォレットプロセッサはその後、信用取引要求をＢａｙａｄｌｏａｄに送信する（ステップ３１８）。信用取引要求を受信すると、Ｂａｙａｄｌｏａｄは合計限度額を検証し、顧客に信用貸しする（ステップ３２０）。
【００６６】
システムはその後、それに応じて、取引が成功したか否かを小売業者と加入者の両方に通知する（ステップ３２２）。たとえば、システムは、以下を小売業者に送信する。
例示的な構文：
ＭＭＭＤＤ  ＨＨ：ＭＭ
Ｙｏｕ  ｈａｖｅ  ｓｕｃｃｅｓｓｆｕｌｌｙ  ｌｏａｄｅｄ  Ｐ２００  ｔｏ  Ｓｈｅｒｗｉｎ’ｓ  ＢａｙａｄＬｏａｄ  Ｗａｌｌｅｔ  ｖｉａ  ０９１９２７０００４５．（０９１９２７０００４５によってＰ２００をＳｈｅｒｗｉｎのＢａｙａｄＬｏａｄ  ウォレットにロードするのに成功しました。）
Ｎｅｗ  Ｌｏａｄ  ｗａｌｌｅｔ  ｂａｌａｎｃｅ  ｉｓ  Ｐ１９５．（新しいロードウォレット残高はＰ１９５です。）
ＲＥＦ＃＜１２３４５６７８９＞
・また、以下を加入者に送信する。
ＭＭＭＤＤ  ＨＨ：ＭＭ
Ｐ２００  ｗａｓ  ｓｕｃｃｅｓｓｆｕｌｌｙ  ｌｏａｄｅｄ  ｔｏ  ｙｏｕｒ  ＢａｙａｄＬｏａｄ  Ｗａｌｌｅｔ．（Ｐ２００をあなたのＢａｙａｄＬｏａｄウォレットにロードするのに成功しました。
Ｎｅｗ  ＢａｙａｄＬｏａｄ  ｗａｌｌｅｔ  ｂａｌａｎｃｅ  ｉｓ  Ｐ４００．（新しいＢａｙａｄＬｏａｄウォレット残高はＰ４００です。）
Ｂｅｆｏｒｅ  ｐａｙｉｎｇ  ｐｌｅａｓｅ  ｒｅｍｅｍｂｅｒ  ｔｏ  ｌｏａｄ  １２％  ｍｏｒｅ  ｏｎ  ｔｏｐ  ｏｆ  ｔｈｅ  ｐａｙｍｅｎｔ  ｐｒｅｍｉｕｍ  ａｍｏｕｎｔ  ｔｏ  ａｖｏｉｄ  ｉｎｃｏｎｖｅｎｉｅｎｃｅ．（不都合を避けるために、お支払いの前に、支払い保険料額に加えてさらに１２％をロードしておくことを忘れないでください。）
ＲＥＦ＃＜１２３４５６７８９＞
【００６７】
通知が拒絶された場合、システムは、メッセージの性質に応じて、以下のメッセージを送信することができる。残高が不十分であった場合、システムは以下を送信する。
ＭＭＭＤＤ  ＨＨ：ＭＭ
Ｙｏｕｒ  ｌｏａｄ  ｗａｌｌｅｔ  ａｃｃｏｕｎｔ  ｈａｓ  ｎｏ  ｓｕｆｆｉｃｉｅｎｔ  ｂａｌａｎｃｅ  ｔｏ  ｆｕｌｆｉｌ  ｔｈｉｓ  ｔｒａｎｓａｃｔｉｏｎ．（あなたのロードウォレット口座にはこの取引を遂行するのに十分な残高がありません。）Ｙｏｕｒ  ａｖａｉｌａｂｌｅ  ｂａｌａｎｃｅ  ｉｓ  ｏｎｌｙ  Ｐ９０．（利用可能な残高はＰ９０しかありません。）
ＲＥＦ＃＜１２３４５６７８９０１＞
・最大合計限度額に達した場合、システムは以下を送信することができる。
ＭＭＭＤＤ  ＨＨ：ＭＭ
Ｓｏｒｒｙ  ｔｈｅ  ｍａｘｉｍｕｍ  ｔａｒｇｅｔ  ｌｉｍｉｔ  ｏｆ  ｔａｒｇｅｔ  ＢａｙａｄＬｏａｄ  ｗａｌｌｅｔ  ｈａｓ  ｂｅｅｎ  ｒｅａｃｈｅｄ．（申し訳ありませんが、対象のＢａｙａｄＬｏａｄウォレットの最大合計限度額に達しています。）Ｙｏｕｒ  ａｖａｉｌａｂｌｅ  ｂａｌａｎｃｅ  ｉｓ  ｏｎｌｙ  Ｐ１０，０００．（あなたが利用可能な残高はＰ１０，０００だけです。）
ＲＥＦ＃＜１２３４５６７８９０１＞
・構文が無効であった場合、システムは以下を送信することができる。
ＭＭＭＤＤ  ＨＨ：ＭＭ
Ｐｌｅａｓｅ  ｓｅｎｄ  “Ｐａｙ  ＜ＭＩＮ＞  ＜ｂｉｌｌｅｒＣｏｄｅ＞  ＜ａｍｏｕｎｔ＞”  ｔｏ  ８８８８．（「Ｐａｙ  ＜ＭＩＮ＞  ＜ｂｉｌｌｅｒＣｏｄｅ＞  ＜ａｍｏｕｎｔ＞」を８８８８に送信してください。）
Ｖａｌｉｄ  ＢｉｌｌｅｒＣｏｄｅｓ  ａｒｅ  “ＰＨＬ”  ｆｏｒ  ＰｈｉｌＨｅａｌｔｈ，  “ＰＩＦ”  ｆｏｒ  Ｐａｇ−ＩＢＩＧ  ｆｕｎｄ  ａｎｄ  “ＳＳＳ”  ｆｏｒ  ＳＳＳ．（有効な請求者コードはＰｈｉｌＨｅａｌｔｈについては「ＰＨＬ」であり、Ｐａｇ−ＩＢＩＧファンドについては「ＰＩＦ」であり、ＳＳＳについては「ＳＳＳ」です。）
ＲＥＦ＃＜１２３４５６７８９０１＞
【００６８】
加入者がシステムにまだ登録されていない場合、システムは以下を送信することができる。
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
【００６９】
キーワードが無効である場合、システムは以下を送信することができる。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
【００７０】
代替形態として、資金源ＰＰＣ  ＯＭＷが、Ｂａｙａｄｌｏａｄ関連取引を完了するための資金を提供する目的に専用とされた別の資金源に置き換えられてもよい。
残高照会（図４）
【００７１】
加入者が自身のＢａｙａｄｌｏａｄ口座４００の残高照会を望む場合、残高照会はＳＭＳを介して、キーワード、すなわち＜Ｋｅｙｗｏｒｄ＞によって行うことができる。たとえば、キーワード「Ｂａｌ」をＳＭＳＣに送信することによって（ステップ４０２）、システムはキーワードが有効であるか否かを検査することができる（ステップ４０４）。有効性が検証されると、その後、残高の照会を求める要求が第１の電子ウォレット２０に送信され、第１の電子ウォレット２０は、構文の有効性を検証し、Ｂａｙａｄｌｏａｄ口座がロック解除されているか否か、口座が存在するか否かについて検査する（ステップ４０６）。有効性が検証されると、加入者の残高がＢａｙａｄｌｏａｄデータベースから取り出され（ステップ４０８）、通知に成功した場合には以下の応答が送信される。
例示的な構文：
ＭＭＭＤＤ  ＨＨ：ＭＭ
Ｔｈｅ  ａｖａｉｌａｂｌｅ  ｂａｌａｎｃｅ  ｏｆ  ｙｏｕｒ  ＢａｙａｄＬｏａｄ  ｗａｌｌｅｔ  ｉｓ  Ｐ２００．（あなたのＢａｙａｄＬｏａｄウォレットの利用可能な残高はＰ２００です。）
Ｂｅｆｏｒｅ  ｐａｙｉｎｇ  ｐｌｅａｓｅ  ｒｅｍｅｍｂｅｒ  ｔｏ  ｌｏａｄ  １２％  ｍｏｒｅ  ｏｎ  ｔｏｐ  ｏｆ  ｔｈｅ  ｐａｙｍｅｎｔ  ｐｒｅｍｉｕｍ  ａｍｏｕｎｔ  ｔｏ  ａｖｏｉｄ  ｉｎｃｏｎｖｅｎｉｅｎｃｅ．（不都合を避けるために、お支払いの前に、支払い保険料額に加えてさらに１２％をロードしておくことを忘れないでください。）
ＲＥＦ＃＜１２３４５６７８９＞
・また、通知が拒絶された場合には、以下の応答が送信される。
ＢａｙａｄＬｏａｄ  Ａｃｃｏｕｎｔ  ｉｓ  ｌｏｃｋｅｄ：（ＢａｙａｄＬｏａｄ口座はロックされています。）
ＭＭＭＤＤ  ＨＨ：ＭＭ
Ｔｈｉｓ  ｉｓ  ｃｕｒｒｅｎｔｌｙ  ｌｏｃｋｅｄ．（この口座は現在ロックされています。）Ｐｌｅａｓｅ  Ｕｎｌｏｃｋ  ｆｉｒｓｔ．（まずロック解除してください。）
ＲＥＦ＃１２３４５６７８
・また、加入者がシステムに登録されていない場合、以下のメッセージが送信され得る。
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
・通常通り、キーワードが無効である場合、システムは以下のメッセージを送信する。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
政府関連機関への支払い（図５）
【００７２】
被雇用者として、加入者は、医療制度、保険、又は退職基金のいずれか１つを支払うことを望む場合がある（５００）。この支払いは、構文＜Ｋｅｙｗｏｒｄ＞  ＜Ｂｉｌｌｅｒ  Ｃｏｄｅ＞  ＜Ａｍｏｕｎｔ＞を使用して、システムにＳＭＳ、たとえば、「Ｐａｙ  ＳＳＳ  ２００」を送信することによって達成することができる（ステップ５０２）。先行する取引のように、ＳＭＳがＳＭＳセンターに送信され、ＳＭＳセンターはその後、キーワード「Ｐａｙ」が有効であるか否かを検査し（ステップ５０４）、有効である場合、さらなる処理のために要求を電子ウォレット２０（ＳＨＩウォレット）に送信する。ウォレットは、構文が有効であるか否か、すなわち、顧客が有効なＢａｙａｄｌｏａｄ口座を有するか否か、及び、口座がロック解除されているか否かを検証する。さらに、Ｂａｙａｄｌｏａｄ口座は、有効な請求口座があるか否かを検査し、任意の手数料を計算する（ステップ５０６）。ステップ５０６が行われると、加入者による確認のために総額に関するＳＭＳ通知が加入者に送信される（ステップ５０８）。加入者が正確なキーワード（たとえば、「Ｙｅｓ（はい）」、ステップ５１０参照）を用いて応答することによって確認した場合、ＳＭＳセンターは、処理のために取引を電子ウォレットに送信する。その後、電子ウォレットは、必要な資金の引き落としのためにＢａｙａｄｌｏａｄデータベースに引き落とし要求を送信し（ステップ５１２）、Ｂａｙａｄｌｏａｄウォレット口座からの引き落としに成功すると、それに応じて加入者に通知する（ステップ５１４）。
【００７３】
ステップ５１４において通知に成功した場合、構文の一例は以下の通りである。
ＭＭＭＤＤ  ＨＨ：ＭＭ
Ｙｏｕ  ｈａｖｅ  ｓｕｃｃｅｓｓｆｕｌｌｙ  ｐａｉｄ  Ｐ２００  ｔｏ  ＳＳＳ  ａｃｃｏｕｎｔ  １２３４５６７８９  ｏｆ  Ｓｈｅｒｗｉｎ  Ｄｉａｍａｎｔｅ．（Ｓｈｅｒｗｉｎ  ＤｉａｍａｎｔｅのＳＳＳ口座１２３４５６７８９へのＰ２００の支払いに成功しました。）Ｐ２４  ｃｏｎｖｅｎｉｅｎｃｅ  ｆｅｅ  ｗａｓ  ｄｅｄｕｃｔｅｄ  ｔｏ  ｙｏｕｒ  ＢａｙａｄＬｏａｄ  Ｗａｌｌｅｔ．（Ｐ２４手数料があなたのＢａｙａｄＬｏａｄウォレットに対して差し引かれました。）
Ｙｏｕｒ  ｎｅｗ  ＢａｙａｄＬｏａｄ  ｗａｌｌｅｔ  ｂａｌａｎｃｅ  ｉｓ  Ｐ７６．（新しいＢａｙａｄＬｏａｄウォレット残高はＰ７６です。）
ＲＥＦ＃＜１２３４５６７８９＞
【００７４】
システムの早期段階において、単一のＳＭＳを使用した複数の支払いは、必要とされる様々なシステムを拡張することによって後の段階において実現可能でない場合がある。
【００７５】
通知が拒絶された場合、システムはそれに応じて加入者に通知する。口座がロックされている場合、
ＭＭＭＤＤ  ＨＨ：ＭＭ
Ｔｈｉｓ  ｉｓ  ｃｕｒｒｅｎｔｌｙ  ｌｏｃｋｅｄ．（この口座は現在ロックされています。）Ｐｌｅａｓｅ  Ｕｎｌｏｃｋ  ｆｉｒｓｔ．（まずロック解除してください。）
ＲＥＦ＃１２３４５６７８
・残高が不十分である場合、
ＭＭＭＤＤ  ＨＨ：ＭＭ
Ｙｏｕｒ  ＢａｙａｄＬｏａｄ  ｗａｌｌｅｔ  ａｃｃｏｕｎｔ  ｈａｓ  ｎｏ  ｓｕｆｆｉｃｉｅｎｔ  ｂａｌａｎｃｅ．（あなたのＢａｙａｄＬｏａｄウォレット口座には十分な残高がありません。）
Ｐｌｅａｓｅ  ｒｅｍｅｍｂｅｒ  ｔｏ  ｌｏａｄ  １２％  ｍｏｒｅ  ｏｎ  ｔｏｐ  ｏｆ  ｔｈｅ  ｐａｙｍｅｎｔ  ｐｒｅｍｉｕｍ  ａｍｏｕｎｔ  ｔｏ  ａｖｏｉｄ  ｉｎｃｏｎｖｅｎｉｅｎｃｅ．（不都合を避けるために、支払い保険料額に加えてさらに１２％をロードしておくことを忘れないでください。）
ＲＥＦ＃＜１２３４５６７８９０１＞
・構文が無効である場合、
ＭＭＭＤＤ  ＨＨ：ＭＭ
Ｐｌｅａｓｅ  ｓｅｎｄ  “Ｐａｙ  ＜ｂｉｌｌｅｒＣｏｄｅ＞  ＜ａｍｏｕｎｔ＞”  ｔｏ  ８８８８．（「Ｐａｙ  ＜ｂｉｌｌｅｒＣｏｄｅ＞  ＜ａｍｏｕｎｔ＞」を８８８８に送信してください。）
Ｖａｌｉｄ  ＢｉｌｌｅｒＣｏｄｅｓ  ａｒｅ  ＰＨＬ  ｆｏｒ  ＰｈｉｌＨｅａｌｔｈ，  ＰＩＦ  ｆｏｒ  Ｐａｇ−ＩＢＩＧ  ｆｕｎｄ  ａｎｄ  ＳＳＳ  ｆｏｒ  ＳＳＳ．（有効な請求者コードはＰｈｉｌＨｅａｌｔｈについてはＰＨＬであり、Ｐａｇ−ＩＢＩＧファンドについてはＰＩＦであり、ＳＳＳについてはＳＳＳです。）
ＲＥＦ＃＜１２３４５６７８９０１＞
・また、加入者がシステムに登録されていない場合、
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
・通常通り、キーワードが無効である場合、システムは以下のメッセージを送信する。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
第三者による支払い（図６）
【００７６】
加入者以外の者（第三者）が加入者のＢａｙａｄｌｏａｄ口座に支払うことを望む場合、その第三者は、まず図１のプロセスを使用してシステムに登録し（第三者が既存の口座を有しない場合）、必要なＢａｙａｄｌｏａｄウォレットを作成しなければならない。その後、以下の例示的な構文が使用され得る。
＜Ｋｅｙｗｏｒｄ＞  ＜ｂｉｌｌｅｒ  ｃｏｄｅ＞  ＜Ａｍｏｕｎｔ＞  ＜ＭＩＮ  ｏｆ  Ｍｅｍｂｅｒ  Ｅｍｐｌｏｙｅｅ（被雇用者構成員のＭＩＮ）＞。たとえば、「Ｐａｙ  ＳＳＳ  ２００  ０９１９２７０００４５」（ステップ６０２）。前述した取引のように、処理のために要求がＳＭＳとしてＳＭＳセンターに送信され得る。ＳＭＳセンターは、キーワード「Ｐａｙ」が有効であるか否かを検査し、有効である場合、さらなる処理のためにＢａｙａｄｌｏａｄウォレットに取引を送信する（ステップ６０４）。第１の電子ウォレットは、構文が有効であるか否か、顧客が有効なＢａｙａｄｌｏａｄ口座を有するか否か、Ｂａｙａｄｌｏａｄウォレットがロック解除されているか否かを判定するために有効性検証を実施し、加入者の請求口座情報を取り出す。Ｂａｙａｄｌｏａｄウォレットは、手数料も計算する（ステップ６０６）。
【００７７】
請求及び請求されることになる総額が第三者による確認のために送られる（ステップ６０８）。承認されると、たとえば、第三者がキーワード「Ｙｅｓ（はい）」をＳＭＳセンターに送信すると、ＳＭＳセンターはキーワードが有効であるか否かを検査し、有効である場合、必要な資金移送のためにＢａｙａｄｌｏａｄデータベースに引き落とし要求を送信する。その後、第三者のＢａｙａｄｌｏａｄウォレット口座が引き落としを受け（ステップ６１０）、それに応じて通知が送信される（ステップ６１２）。
【００７８】
例示的な構文は以下の通りである。
【００７９】
通知に成功した場合、それに応じてシステムは被雇用者及び支払人に以下のように応答する。
・被雇用者に対して
ＭＭＭＤＤ  ＨＨ：ＭＭ
Ｌｉｔｏ  Ｖｉｌｌａｎｕｅｖａ  ｐａｉｄ  Ｐ２００  ｔｏ  ｙｏｕｒ  ＳＳＳ  ｗｉｔｈ  ａｃｃｔ＃１２３４５６７８９．（Ｌｉｔｏ  Ｖｉｌｌａｎｕｅｖａがａｃｃｔ＃１２３４５６７８９を用いてあなたの  ＳＳＳにＰ２００を支払いました。）
ＲＥＦ＃＜１２３４５６７８９＞
・支払人に対して
ＭＭＭＤＤ  ＨＨ：ＭＭ
Ｙｏｕ  ｈａｖｅ  ｓｕｃｃｅｓｓｆｕｌｌｙ  ｐａｉｄ  Ｐ２００  ｔｏ  ＳＳＳ  ａｃｃｏｕｎｔ  １２３４５６７８９  ｏｆ  Ｓｈｅｒｗｉｎ  Ｄｉａｍａｎｔｅ．（Ｓｈｅｒｗｉｎ  ＤｉａｍａｎｔｅのＳＳＳ口座１２３４５６７８９へのＰ２００の支払いに成功しました。）Ｐ２４  ｃｏｎｖｅｎｉｅｎｃｅ  ｆｅｅ  ｗａｓ  ｄｅｄｕｃｔｅｄ  ｔｏ  ｙｏｕｒ  ＢａｙａｄＬｏａｄ  Ｗａｌｌｅｔ．（Ｐ２４手数料があなたのＢａｙａｄＬｏａｄウォレットに対して差し引かれました。）
Ｙｏｕｒ  ｎｅｗ  ＢａｙａｄＬｏａｄ  ｗａｌｌｅｔ  ｂａｌａｎｃｅ  ｉｓ  Ｐ７６．（新しいＢａｙａｄＬｏａｄウォレット残高はＰ７６です。）
ＲＥＦ＃＜１２３４５６７８９＞
【００８０】
通知が拒絶された場合、システムはそれに応じて加入者に通知する。口座がロックされている場合、
ＭＭＭＤＤ  ＨＨ：ＭＭ
Ｔｈｉｓ  ｉｓ  ｃｕｒｒｅｎｔｌｙ  ｌｏｃｋｅｄ．（この口座は現在ロックされています。）Ｐｌｅａｓｅ  Ｕｎｌｏｃｋ  ｆｉｒｓｔ．（まずロック解除してください。）
ＲＥＦ＃１２３４５６７８
・残高が不十分である場合、
ＭＭＭＤＤ  ＨＨ：ＭＭ
Ｙｏｕｒ  ＢａｙａｄＬｏａｄ  ｗａｌｌｅｔ  ａｃｃｏｕｎｔ  ｈａｓ  ｎｏ  ｓｕｆｆｉｃｉｅｎｔ  ｂａｌａｎｃｅ．（あなたのＢａｙａｄＬｏａｄウォレット口座には十分な残高がありません。）
Ｐｌｅａｓｅ  ｒｅｍｅｍｂｅｒ  ｔｏ  ｌｏａｄ  １２％  ｍｏｒｅ  ｏｎ  ｔｏｐ  ｏｆ  ｔｈｅ  ｐａｙｍｅｎｔ  ｐｒｅｍｉｕｍ  ａｍｏｕｎｔ  ｔｏ  ａｖｏｉｄ  ｉｎｃｏｎｖｅｎｉｅｎｃｅ．（不都合を避けるために、支払い保険料額に加えてさらに１２％をロードしておくことを忘れないでください。）
ＲＥＦ＃＜１２３４５６７８９０１＞
・構文が無効である場合、
ＭＭＭＤＤ  ＨＨ：ＭＭ
Ｐｌｅａｓｅ  ｓｅｎｄ  “Ｐａｙ  ＜ｂｉｌｌｅｒＣｏｄｅ＞  ＜ａｍｏｕｎｔ＞”  ｔｏ  ８８８８．（「Ｐａｙ  ＜ｂｉｌｌｅｒＣｏｄｅ＞  ＜ａｍｏｕｎｔ＞」を８８８８に送信してください。）
Ｖａｌｉｄ  ＢｉｌｌｅｒＣｏｄｅｓ  ａｒｅ  ＰＨＬ  ｆｏｒ  ＰｈｉｌＨｅａｌｔｈ，  ＰＩＦ  ｆｏｒ  Ｐａｇ−ＩＢＩＧ  ｆｕｎｄ  ａｎｄ  ＳＳＳ  ｆｏｒ  ＳＳＳ．（有効な請求者コードはＰｈｉｌＨｅａｌｔｈについてはＰＨＬであり、Ｐａｇ−ＩＢＩＧファンドについてはＰＩＦであり、ＳＳＳについてはＳＳＳです。）
ＲＥＦ＃＜１２３４５６７８９０１＞
・また、加入者がシステムに登録されていない場合、
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
・通常通り、キーワードが無効である場合、システムは以下のメッセージを送信する。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
Ｂａｙａｄｌｏａｄ口座のロック（図７）
【００８１】
加入者は、構文＜Ｋｅｙｗｏｒｄ＞  ＜ＰＩＮ＞、たとえば、「Ｌｏｃｋ  １２３４」を使用することによって（ステップ７０２）、システム内で口座をロックすることも可能である。ＳＭＳは処理のためにＳＭＳセンターに送信され（ステップ７０４）、ＳＭＳセンターは、キーワード「Ｌｏｃｋ」が有効であるか否かを検査し、有効である場合、ロック要求取引をさらなる処理及び有効性検証のためにＢａｙａｄｌｏａｄウォレットに送信する。有効性検証プロセスは、構文が有効であるか否か、すなわち、顧客が有効なＢａｙａｄｌｏａｄ口座を有するか否か、口座がロック解除されているか否かを検査することを含み得る。これらの検査が実施されると、Ｂａｙａｄｌｏａｄウォレットは、Ｂａｙａｄｌｏａｄ口座をロックする（ステップ７０６）。ＳＭＳの形態又は別様の通知が加入者に送信される（ステップ７０８）。
【００８２】
通知に成功した場合、システムは以下のように加入者に応答する。
ＭＭＭＤＤ  ＨＨ：ＭＭ
Ｙｏｕｒ  ａｃｃｏｕｎｔ  ｉｓ  ｌｏｃｋｅｄ．（あなたの口座はロックされています。）Ｐｌｅａｓｅ  ｓｅｎｄ  “Ｕｎｌｏｃｋ  ＜ＰＩＮ＞”  ｔｏ  ｕｎｌｏｃｋ  ｔｈｉｓ  ａｃｃｏｕｎｔ（この口座をロック解除するには「Ｕｎｌｏｃｋ  ＜ＰＩＮ＞」を送信してください。
ＲＥＦ＃＜１２３４５６７８９＞
【００８３】
口座をロックすることによって、加入者はもはや、支払い若しくは口座の残高を調べることが可能でなくなり、又はさらには、口座の詳細を編集することも可能でなくなる。代わりに、加入者は、小売業者を通じて口座にリロードするか、又は、口座に対する第三者の支払人からの支払いを受けることができるだけである。加入者又はシステムが、特定数の取引後に口座がロックされることを指定することができる事例もあり得る。システムは以下のメッセージを送信することができる。
ＭＭＭＤＤ  ＨＨ：ＭＭ
Ｙｏｕｒ  ａｃｃｏｕｎｔ  ｉｓ  ｌｏｃｋｅｄ．（あなたの口座はロックされています。）Ｐｌｅａｓｅ  ｓｅｎｄ  “Ｕｎｌｏｃｋ  ＜ＰＩＮ＞”  ｔｏ  ｕｎｌｏｃｋ  ｔｈｉｓ  ａｃｃｏｕｎｔ（この口座をロック解除するには「Ｕｎｌｏｃｋ  ＜ＰＩＮ＞」を送信してください。
ＲＥＦ＃＜１２３４５６７８９＞
【００８４】
通知が拒絶された場合、システムはそれに応じて加入者に通知する。口座がロックされている場合、
ＭＭＭＤＤ  ＨＨ：ＭＭ
Ｔｈｉｓ  ｉｓ  ｃｕｒｒｅｎｔｌｙ  ｌｏｃｋｅｄ．（この口座は現在ロックされています。）Ｐｌｅａｓｅ  Ｕｎｌｏｃｋ  ｆｉｒｓｔ．（まずロック解除してください。）
ＲＥＦ＃１２３４５６７８
・残高が不十分である場合、
ＭＭＭＤＤ  ＨＨ：ＭＭ
Ｙｏｕｒ  ＢａｙａｄＬｏａｄ  ｗａｌｌｅｔ  ａｃｃｏｕｎｔ  ｈａｓ  ｎｏ  ｓｕｆｆｉｃｉｅｎｔ  ｂａｌａｎｃｅ．（あなたのＢａｙａｄＬｏａｄウォレット口座には十分な残高がありません。）
Ｐｌｅａｓｅ  ｒｅｍｅｍｂｅｒ  ｔｏ  ｌｏａｄ  １２％  ｍｏｒｅ  ｏｎ  ｔｏｐ  ｏｆ  ｔｈｅ  ｐａｙｍｅｎｔ  ｐｒｅｍｉｕｍ  ａｍｏｕｎｔ  ｔｏ  ａｖｏｉｄ  ｉｎｃｏｎｖｅｎｉｅｎｃｅ．（不都合を避けるために、支払い保険料額に加えてさらに１２％をロードしておくことを忘れないでください。）
ＲＥＦ＃＜１２３４５６７８９０１＞
・構文が無効である場合、
ＭＭＭＤＤ  ＨＨ：ＭＭ
Ｐｌｅａｓｅ  ｓｅｎｄ  “Ｐａｙ  ＜ｂｉｌｌｅｒＣｏｄｅ＞  ＜ａｍｏｕｎｔ＞”  ｔｏ  ８８８８．（「Ｐａｙ  ＜ｂｉｌｌｅｒＣｏｄｅ＞  ＜ａｍｏｕｎｔ＞」を８８８８に送信してください。）
Ｖａｌｉｄ  ＢｉｌｌｅｒＣｏｄｅｓ  ａｒｅ  ＰＨＬ  ｆｏｒ  ＰｈｉｌＨｅａｌｔｈ，  ＰＩＦ  ｆｏｒ  Ｐａｇ−ＩＢＩＧ  ｆｕｎｄ  ａｎｄ  ＳＳＳ  ｆｏｒ  ＳＳＳ．（有効な請求者コードはＰｈｉｌＨｅａｌｔｈについてはＰＨＬであり、Ｐａｇ−ＩＢＩＧファンドについてはＰＩＦであり、ＳＳＳについてはＳＳＳです。）
ＲＥＦ＃＜１２３４５６７８９０１＞
・また、加入者がシステムに登録されていない場合、
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
・通常通り、キーワードが無効である場合、システムは以下のメッセージを送信する。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
・口座がすでにロックされている場合、システムは以下を送信する。
ＭＭＭＤＤ  ＨＨ：ＭＭ
Ｙｏｕｒ  ａｃｃｏｕｎｔ  ｉｓ  ａｌｒｅａｄｙ  ｌｏｃｋｅｄ．（あなたの口座はすでにロックされています。）
ＲＥＦ＃＜１２３４５６７８９０１＞
Ｂａｙａｄｌｏａｄ口座のロック解除（図８）
【００８５】
加入者は、Ｂａｙａｄｌｏａｄ口座を使用し続けるために、ロックされているＢａｙａｄｌｏａｄ口座をロック解除することができる（８００）。ロック解除は、同じ構文＜Ｋｅｙｗｏｒｄ＞  ＜ＰＩＮ＞、たとえば、「Ｕｎｌｏｃｋ  １２３４」を使用して行うことができる（ステップ８０２）。ロック解除要求が受信されると、ＳＭＳＣは、キーワードが有効であるか否かを検査し、有効である場合、電子ウォレット２０によるさらなる処理のために取引を送信する（ステップ８０４）。電子ウォレット２０は、構文が有効であるか否か、すなわち、顧客が有効なＢａｙａｄｌｏａｄ口座を実際に有するか否か、及び、口座が実際にロックされているか否かを検査するように動作可能であり、ロックされている場合、口座をロック解除する（８０６）。その後、通知が送信される（８０８）。
【００８６】
口座がロックされている場合の取引中に通知が行われる場合、システムは以下を送信することができる。
ＭＭＭＤＤ  ＨＨ：ＭＭ
Ｙｏｕｒ  ａｃｃｏｕｎｔ  ｉｓ  ｌｏｃｋｅｄ．（あなたの口座はロックされています。）Ｐｌｅａｓｅ  ｓｅｎｄ  “Ｕｎｌｏｃｋ  ＜ＰＩＮ＞”  ｔｏ  ｕｎｌｏｃｋ  ｔｈｉｓ  ａｃｃｏｕｎｔ（この口座をロック解除するには「Ｕｎｌｏｃｋ  ＜ＰＩＮ＞」を送信してください。
ＲＥＦ＃＜１２３４５６７８９＞
【００８７】
通知が拒絶された場合、システムはそれに応じて加入者に通知する。
・口座がロックされている場合、
ＭＭＭＤＤ  ＨＨ：ＭＭ
Ｔｈｉｓ  ｉｓ  ｃｕｒｒｅｎｔｌｙ  ｌｏｃｋｅｄ．（この口座は現在ロックされています。）Ｐｌｅａｓｅ  Ｕｎｌｏｃｋ  ｆｉｒｓｔ．（まずロック解除してください。）
ＲＥＦ＃１２３４５６７８
・構文が無効である場合、
ＭＭＭＤＤ  ＨＨ：ＭＭ
Ｐｌｅａｓｅ  ｓｅｎｄ  “Ｌｏｃｋ  ＜４  ｄｉｇｉｔ  ＰＩＮ＞  ｔｏ  ８８８８”．（「Ｌｏｃｋ  ＜４  ｄｉｇｉｔ（４桁）ＰＩＮ＞」を８８８８に送信してください。）
ＲＥＦ＃＜１２３４５６７８９０１＞
・また、加入者がシステムに登録されていない場合、
ＭＭＭＤＤ  ＨＨ：ＭＭ
ＭＩＮ  ｉｓ  ｎｏｔ  ｙｅｔ  ｒｅｇｉｓｔｅｒｅｄ  ｆｏｒ  ＢａｙａｄＬｏａｄ．（ＭＩＮがＢａｙａｄＬｏａｄにまだ登録されていません。）Ｐｌｓ  ｓｅｎｄ  ｔｈｅ  ｓｙｎｔａｘ  ｂｅｌｏｗ  ｔｏ  ８８８８（下記の構文を８８８８に送信してください）
“Ｒｅｇ  ＜ｆｉｒｓｔＮａｍｅ＞  ＜ＭｉｄｄｌｅＮａｍｅ＞  ＜Ｌａｓｔｎａｍｅ＞  ＜Ｄａｔｅ  ｏｆ  Ｂｉｒｔｈ  ＭＭＤＤＹＹ＞  ＜ｅｍａｉｌＡｄｄ（電子メールアドレス）  −  Ｏｐｔｉｏｎａｌ（任意選択）＞．
Ｓａｍｐｌｅ：（サンプル）Ｒｅｇ  Ｓｈｅｒｗｉｎ  Ａｎａｎａ  Ｄｉａｍａｎｔｅ  ０８２１８０  ｒｅｇｓｈｅｒｗｉｎ＠ｅｍａｉｌ．ｃｏｍ
ＲＥＦ＃＜１２３４５６７８９０１＞
・通常通り、キーワードが無効である場合、システムは以下のメッセージを送信する。
ＭＭＭＤＤ  ＨＨ：ＭＭ
Ｐｌｅａｓｅ  ｓｅｅ  ｌｉｓｔ  ｏｆ  ｖａｌｉｄ  ｋｅｙｗｏｒｄｓ  ｂｅｌｏｗ：（下記の有効なキーワードのリストを御覧ください）
Ｒｅｇ，  Ａｃｃｔ，  Ｌｏｃｋ，  Ｕｎｌｏｃｋ，  Ｉｎｆｏ，  Ｂａｌ，  Ｐａｙ，  Ｈｉｓｔｏｒｙ，
Ｈｅｌｐ，  Ｈｅｌｐ  Ｒｅｇ，  Ｈｅｌｐ  Ａｃｃｔ，  Ｈｅｌｐ  Ｌｏｃｋ，  Ｈｅｌｐ  Ｐａｙ，  Ｈｅｌｐ  Ｈｉｓｔｏｒｙ
ＲＥＦ＃＜１２３４５６７８９０１＞
・口座がすでにロック解除されている場合、システムは以下を送信する。
ＭＭＭＤＤ  ＨＨ：ＭＭ
Ｙｏｕｒ  ａｃｃｏｕｎｔ  ｉｓ  ａｌｒｅａｄｙ  ｕｎｌｏｃｋｅｄ．（あなたの口座はすでにロック解除されています。）
ＲＥＦ＃＜１２３４５６７８９０１＞
【００８８】
図９に示すように、加入者は、自身の登録及び請求詳細に関する情報について問い合わせることができる（９００）。キーワード、たとえば、「Ｉｎｆｏ」がＳＭＳとしてＳＭＳセンターに送信される（ステップ９０２）。ＳＭＳセンターは、キーワードが有効であるか否かを検査し（ステップ９０４）、有効である場合、Ｂａｙａｄｌｏａｄウォレットに取引を送信する。その後、Ｂａｙａｄｌｏａｄウォレットが、構文が有効であるか否か、すなわち、顧客（加入者）が有効なウォレットを有するか否かを検査し、有効である場合、必要な登録及び請求詳細を取り出す（ステップ９０６）。完了に成功すると、その後、ＳＭＳの形態の通知が加入者に送信され得る（ステップ９０８）。
【００８９】
Ｂａｙａｄｌｏａｄ所有者（すなわち、加入者）が上述した取引のいずれかにおいてヘルプを必要とする場合（１０００）、所有者は、たとえば、一般的な応答については「Ｈｅｌｐ」、又は、登録プロセスの達成におけるヘルプについては「Ｈｅｌｐ  Ｒｅｇ」を有するキーワードを、ＳＭＳセンターに送信することができる（ステップ１００２）。
【００９０】
「Ｈｅｌｐ」取引を受信すると、ＳＭＳセンターは、キーワードが有効であるか否かを検査し（ステップ１００４）、有効である場合、ヘルプ取引を、さらなる検査のためにＢａｙａｄｌｏａｄ電子ウォレット２０に送信する（ステップ１００６）。ヘルプ取引が受信されると、Ｂａｙａｄｌｏａｄ電子ウォレットは、必要な情報を取り出し（ステップ１００８）、その後、所望される応答又は応答に対するリンクを有するＳＭＳ通知を送信する（ステップ１０１０）。
【００９１】
本実施形態に利用される１つ又は複数の精算設備１６の一例は、「クレジット提供システム及び方法（Ｃｒｅｄｉｔ  Ｐｒｏｖｉｓｉｏｎ  Ｓｙｓｔｅｍ  ａｎｄ  Ｍｅｔｈｏｄ）」と題する国際公開第２０１０／０６２２６６号パンフレットに記載されているようなものであってもよい。特に、記載されているクレジット設備１６は、１人又は複数の加入者にクレジットを提供することが可能である。加えて、精算設備１６は、少なくとも３者、すなわち、ホスト（ホーム）ネットワーク１２、ホストネットワークの小売業者、及び、ホストネットワークの加入者（前払い又は後払い）が関与する取引を処理及び精算する機能を有する。さらに、クレジット設備１６は、基本通貨基準を介して複数の異なる通貨が取引されることを可能にする。
【００９２】
本発明の別の実施形態において、第１の電子ウォレット２０は、政府関連取引を促進するのに加えて、ゲーミング及び病院保険、公共設備（たとえば、電力）、デジタルＴＶ又はデジタルハブ加入、ゲーミングのプロバイダなどを含む一般的な非遠隔通信プロバイダネットワーク関連取引向けにも構成されている。
【００９３】
第２の電子ウォレット２２は、通信時間のロード／リロード、ＳＭＳクレジット、通話、遠隔通信プロバイダの加入者の音声及び他のデータサービスに関する取引に使用される。
【００９４】
別の実施形態において、加入者は、最寄りの小売業者に出掛けて自身の第１の電子（すなわち、ＢａｙａｄＬｏａｄ）ウォレットの残高を追加することができる。小売業者は、同じ小売業者ＳＩＭ（予め登録されている）及び対象のＢａｙａｄｌｏａｄ口座の対象識別子（たとえば、携帯電話ＭＳＩＳＤＮ）内のキー、並びにロードされるべき金額を使用して、自身のユーザインターフェースメニューにアクセスできるべきである。その後、要求を処理する前に、対象の口座がアクティブなＢａｙａｄＬｏａｄウォレットを有するか否かが検証されるべきである。小売業者及び加入者の両方が、要求処理の成功を確認する通知メッセージを受信するべきである。
【００９５】
上記の実施形態は、本発明の例示としてのみ提供されていること、並びに、当業者に諒解されるような、本発明に対するさらなる修正及び改善が、本明細書に記載されている本発明の広い範囲及び領域内に入ると考えられることが理解されるべきである。特に、
・記載されている実施形態はＳＭＳを使用した様々な取引を求める要求の送信に関するが、要求の送信は、非構造付加サービスデータ（ＵＳＳＤ）メッセージ、ユーザのスマートフォンにインストールされている専用クライアントソフトウェアなどのような他の手段を介して達成されてもよい。
・本発明は２つの別個の構成要素（ＳＨＩウォレット及びＳＨＩ  Ｂａｙａｄｌｏａｄ参照）を有するものとして第１の電子ウォレット（すなわち、Ｂａｙａｄｌｏａｄウォレット２０を説明しているが、これら２つの構成要素は、取引を検証及び処理し、これらの取引を精算設備１６にリンクするための１つの単一のプラットフォームとして統合されてもよい。
・精算設備１６によって精算されるべきすべての取引は、バッチプロセスを介して毎日収集及び送信されてもよい。精算設備１６はその後、ホストネットワークの銀行口座から、Ｂａｙａｄｌｏａｄ口座所有者の請求者口座への資金の移送をトリガする。バッチプロセスは、（限定ではないが）ＳＳＨファイル転送プロトコル（ＳＦＴＰ）のような、安全なシェルを介した安全なファイル転送のための安全なネットワークプロトコルを介したものであってもよい。
・電子ウォレット２０、２２は、ホストネットワーク１２の加入者により大規模な一連のサービスを提供するための、市販の電子ウォレット（非ホストネットワーク電子ウォレット）とのインターフェースであってもよい。
・Ｂａｙａｄｌｏａｄトップアップ、リロードのための小売業者は、地域代理店又は地方代理店のような一連のプロバイダの下流にあってもよい。
【図１】
2016524236.tif 000003
【図２】
2016524236.tif 000004
【図３】
2016524236.tif 000005
【図４】
2016524236.tif 000006
【図５】
2016524236.tif 000007
【図６】
2016524236.tif 000008
【図７】
2016524236.tif 000009
【図８】
2016524236.tif 000010
【図９】
2016524236.tif 000011
【図１０】
2016524236.tif 000012
【図１１】
2016524236.tif 000013
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
取引を促進するためのシステムであって、
少なくとも１つの加入者口座を含むホストネットワークであって、前記少なくとも１つの加入者口座が、
セキュアな支払いチャネルを介して選択される機関との特定の取引を実施するための第１の電子ウォレットと、
他のタイプの取引を実施するための第２の電子ウォレットと、
を有するホストネットワークと、
前記取引を実施するために前記ホストネットワークに結合されている精算設備であって、前記精算設備が、前記取引を精算及び仲裁するように動作可能であり、前記精算設備が少なくとも１つのプロセッサをさらに備え、該プロセッサは、取引を求める要求が受信されると前記取引のタイプを判定し第１の電子ウォレット又は第２の電子ウォレットから引き落とす、精算設備と、
を備えており、
前記第１の電子ウォレットと関連付けられるクレジットは期限切れにならず且つ現金化することができない、取引を促進するためのシステム。
【請求項２】
前記選択される機関が政府機関又は政府関連機関である、請求項１に記載の取引を促進するためのシステム。
【請求項３】
前記特定の取引が、社会保障に対する強制負担金、住宅供給、共済及び健康保険の支払いのうちの１つ又は複数を含む、請求項２に記載の取引を促進するためのシステム。
【請求項４】
前記ホストネットワークが遠隔通信ネットワークである、請求項１〜３のいずれか一項に記載の取引を促進するためのシステム。
【請求項５】
前記少なくとも１つの加入者口座が前払いモバイル加入者口座である、請求項１〜４のいずれか一項に記載の取引を促進するためのシステム。
【請求項６】
前記少なくとも１つの加入者口座が後払いモバイル加入者口座である、請求項１〜４のいずれか一項に記載の取引を促進するためのシステム。
【請求項７】
前記取引を求める要求が、ショートメッセージサービス（ＳＭＳ）テキストメッセージを介して送信される、請求項４又は５に記載の取引を促進するためのシステム。
【請求項８】
前記第１の電子ウォレットに対するクレジットが、前記第２の電子ウォレットに転送可能でない、請求項１に記載の取引を促進するためのシステム。
【請求項９】
前記第２の電子ウォレットと関連付けられる前記他のタイプの取引が、前払い又は後払い加入者口座と関連付けられる通信時間のリロードを含む、請求項１〜８のいずれか一項に記載の取引を促進するためのシステム。
【請求項１０】
前記第１の電子ウォレットが、別個の独立した登録プロセスを介して、第２の電子ウォレットを有する加入者にとって利用可能である、請求項１〜９のいずれか一項に記載の取引を促進するためのシステム。
【請求項１１】
取引を促進するための方法であって、
ａ．モバイルコンピューティングデバイスのユーザから取引を求める電子的要求を受信するステップと、
ｂ．前記取引を求める電子的要求から、前記取引のタイプを判定するステップであって、前記取引のタイプが、選択される機関と関連付けられている特定の取引である場合、前記ユーザと関連付けられている第１の電子ウォレットがセキュアな支払いチャネルを介して前記取引に利用され、そうでない場合、前記ユーザと関連付けられている第２の電子ウォレットが前記取引に利用され、前記第１の電子ウォレットと関連付けられるクレジットは期限切れにならず且つ現金化することができない、判定するステップと、
を含む、取引を促進するための方法。
【請求項１２】
前記選択される機関が政府機関である、請求項１２に記載の取引を促進するための方法。
【請求項１３】
前記特定の取引が、社会保障に対する強制負担金、住宅供給、共済及び健康保険の支払いのうちの１つ又は複数を含む、請求項１３に記載の取引を促進するための方法。
【請求項１４】
前記第１の電子ウォレットに対するクレジットが、前記第２の電子ウォレットに転送可能でない、請求項１２〜１４のいずれか一項に記載の取引を促進するための方法。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
取引を促進するためのシステムであって、
少なくとも１つの加入者口座を含むホストネットワークであって、前記少なくとも１つの加入者口座が、
セキュアな支払いチャネルを介して選択される機関との特定の取引を実施するための第１の電子ウォレットと、
他のタイプの取引を実施するための第２の電子ウォレットと、
を有するホストネットワークと、
前記取引を実施するために前記ホストネットワークに結合されている精算設備であって、前記精算設備が、前記取引を精算及び仲裁するように動作可能であり、前記精算設備が少なくとも１つのプロセッサをさらに備え、該プロセッサは、取引を求める要求が受信されると前記取引のタイプを判定し第１の電子ウォレット又は第２の電子ウォレットから引き落とす、精算設備と、
を備えており、
前記第１の電子ウォレットと関連付けられるクレジットは期限切れにならず且つ現金化することができない、取引を促進するためのシステム。
【請求項２】
前記選択される機関が政府機関又は政府関連機関である、請求項１に記載の取引を促進するためのシステム。
【請求項３】
前記特定の取引が、社会保障に対する強制負担金、住宅供給、共済及び健康保険の支払いのうちの１つ又は複数を含む、請求項２に記載の取引を促進するためのシステム。
【請求項４】
前記ホストネットワークが遠隔通信ネットワークである、請求項１〜３のいずれか一項に記載の取引を促進するためのシステム。
【請求項５】
前記少なくとも１つの加入者口座が前払いモバイル加入者口座である、請求項１〜４のいずれか一項に記載の取引を促進するためのシステム。
【請求項６】
前記少なくとも１つの加入者口座が後払いモバイル加入者口座である、請求項１〜４のいずれか一項に記載の取引を促進するためのシステム。
【請求項７】
前記取引を求める要求が、ショートメッセージサービス（ＳＭＳ）テキストメッセージを介して送信される、請求項４又は５に記載の取引を促進するためのシステム。
【請求項８】
前記第１の電子ウォレットに対するクレジットが、前記第２の電子ウォレットに転送可能でない、請求項１に記載の取引を促進するためのシステム。
【請求項９】
前記第２の電子ウォレットと関連付けられる前記他のタイプの取引が、前払い又は後払い加入者口座と関連付けられる通信時間のリロードを含む、請求項１〜８のいずれか一項に記載の取引を促進するためのシステム。
【請求項１０】
前記第１の電子ウォレットが、別個の独立した登録プロセスを介して、第２の電子ウォレットを有する加入者にとって利用可能である、請求項１〜９のいずれか一項に記載の取引を促進するためのシステム。
【請求項１１】
取引を促進するための方法であって、
ａ．モバイルコンピューティングデバイスのユーザから取引を求める電子的要求を受信するステップと、
ｂ．前記取引を求める電子的要求から、前記取引のタイプを判定するステップであって、前記取引のタイプが、選択される機関と関連付けられている特定の取引である場合、前記ユーザと関連付けられている第１の電子ウォレットがセキュアな支払いチャネルを介して前記取引に利用され、そうでない場合、前記ユーザと関連付けられている第２の電子ウォレットが前記取引に利用され、前記第１の電子ウォレットと関連付けられるクレジットは期限切れにならず且つ現金化することができない、判定するステップと、
を含む、取引を促進するための方法。
【請求項１２】
前記選択される機関が政府機関である、請求項１１に記載の取引を促進するための方法。
【請求項１３】
前記特定の取引が、社会保障に対する強制負担金、住宅供給、共済及び健康保険の支払いのうちの１つ又は複数を含む、請求項１２に記載の取引を促進するための方法。
【請求項１４】
前記第１の電子ウォレットに対するクレジットが、前記第２の電子ウォレットに転送可能でない、請求項１１〜１３のいずれか一項に記載の取引を促進するための方法。
【国際調査報告】
2016524236.tif 000014
2016524236.tif 000015
2016524236.tif 000016